(57)【要約】【課題】ＤｉＳＥｑＣ通信における通信コマンドの衝突を回避することが可能な衛星放送受信装置及び衛星放送受信方法を提供する。【解決手段】Ｕｎｉｃａｂｌｅ  Ｓｗｉｔｃｈと同軸ケーブルで接続され、ＤｉＳＥｑＣ通信コマンドを用いて放送信号を選局する衛星放送受信装置であって、Ｕｎｉｃａｂｌｅ  ＳｗｉｔｃｈへＤｉＳＥｑＣ通信コマンドを出力する制御部と、Ｕｎｉｃａｂｌｅ  Ｓｗｉｔｃｈから放送信号を受信する受信部と、放送信号を復調してトランスポートストリームを出力する復調部と、トランスポートストリームをデコードして出力するデコード部とを備え、制御部は、トランスポートストリームＩＤを検出し、トランスポートストリームＩＤがＤｉＳＥｑＣ通信コマンドに含まれるものと一致しない場合はＵｎｉｃａｂｌｅ  ＳｗｉｔｃｈへＤｉＳＥｑＣ通信コマンドを再度出力する、ことを特徴とする。【選択図】図２
2011239311.tif 000002
【特許請求の範囲】
【請求項１】
Ｕｎｉｃａｂｌｅ  Ｓｗｉｔｃｈと同軸ケーブルで接続され、ＤｉＳＥｑＣ通信コマンドを用いて放送信号を選局する衛星放送受信装置であって、
前記Ｕｎｉｃａｂｌｅ  Ｓｗｉｔｃｈへ前記ＤｉＳＥｑＣ通信コマンドを出力する制御部と、
前記Ｕｎｉｃａｂｌｅ  Ｓｗｉｔｃｈから前記放送信号を受信する受信部と、
受信された前記放送信号を復調してトランスポートストリームを出力する復調部と、
前記制御部からのデコード指示に応じて、前記トランスポートストリームをデコードして映像音声信号を出力するデコード部と、を備え、
前記制御部は、前記トランスポートストリームからトランスポートストリームＩＤを検出し、検出された前記トランスポートストリームＩＤが前記ＤｉＳＥｑＣ通信コマンドに含まれるトランスポートストリームＩＤと一致しない場合は前記Ｕｎｉｃａｂｌｅ  Ｓｗｉｔｃｈへ前記ＤｉＳＥｑＣ通信コマンドを再度出力し、一致する場合は前記デコード部に前記デコード指示を行う、ことを特徴とする衛星放送受信装置。
【請求項２】
前記制御部は、前記Ｕｎｉｃａｂｌｅ  Ｓｗｉｔｃｈの各スロットに対応した待ち時間情報を記憶し、前記待ち時間情報に応じて、前記ＤｉＳＥｑＣ通信コマンド出力後に、再度、前記ＤｉＳＥｑＣ通信コマンドを出力する、ことを特徴とする請求項１に記載の衛星放送受信装置。
【請求項３】
Ｕｎｉｃａｂｌｅ  Ｓｗｉｔｃｈと同軸ケーブルで接続され、ＤｉＳＥｑＣ通信コマンドを用いて放送信号を選局する衛星放送受信装置における衛星放送受信方法であって、
前記Ｕｎｉｃａｂｌｅ  Ｓｗｉｔｃｈへ前記ＤｉＳＥｑＣ通信コマンドを出力するステップと、
前記Ｕｎｉｃａｂｌｅ  Ｓｗｉｔｃｈから前記放送信号を受信するステップと、
受信された前記放送信号を復調してトランスポートストリームを出力するステップと、
出力された前記トランスポートストリームからトランスポートストリームＩＤを検出し、検出された前記トランスポートストリームＩＤが前記ＤｉＳＥｑＣ通信コマンドに含まれるトランスポートストリームＩＤと一致するか否かを判断するステップと、
一致しないと判断された場合、前記Ｕｎｉｃａｂｌｅ  Ｓｗｉｔｃｈへ前記ＤｉＳＥｑＣ通信コマンドを再度出力するステップと、
一致すると判断された場合に、前記トランスポートストリームをデコードして映像音声信号を出力するステップと、を有することを特徴とする衛星放送受信方法。
【請求項４】
前記Ｕｎｉｃａｂｌｅ  Ｓｗｉｔｃｈの各スロットに対応した待ち時間情報を記憶し、前記待ち時間情報に応じて、前記ＤｉＳＥｑＣ通信コマンド出力後に、再度、前記ＤｉＳＥｑＣ通信コマンドを出力するステップと、を更に有することを特徴とする請求項３に記載の衛星放送受信方法。
【発明の詳細な説明】
【技術分野】
【０００１】
本発明は衛星放送受信装置及び衛星放送受信方法に関し、更に詳しくは、ＤｉＳＥｑＣ（Ｄｉｇｉｔａｌ  Ｓａｔｅｌｌｉｔｅ  Ｅｑｕｉｐｍｅｎｔ  Ｃｏｎｔｒｏｌ）通信によって、衛星放送番組を選局可能な衛星放送受信装置及び衛星放送受信方法に関する。
【背景技術】
【０００２】
従来、複数の衛星放送受信装置とＵｎｉｃａｂｌｅ（Ｓａｔｅｌｌｉｔｅ  ｓｉｇｎａｌ  ｄｉｓｔｒｉｂｕｔｉｏｎ）  Ｓｗｉｔｃｈとを同軸ケーブルで接続し、更にＵｎｉｃａｂｌｅ  Ｓｗｉｔｃｈに複数の衛星放送受信用アンテナを同軸ケーブルで接続することで、特定の衛星放送受信装置からＤｉＳＥｑＣ通信コマンドによって所望の番組を受信する受信器がある（例えば、特許文献１参照）。
【０００３】
ここで、Ｕｎｉｃａｂｌｅ  Ｓｗｉｔｃｈは、複数の衛星放送受信用アンテナから複数のアンテナ信号を入力し、それぞれの周波数をＵｎｉｃａｂｌｅ  Ｓｗｉｔｃｈ内で乗せかえる機能を有している。また、Ｕｎｉｃａｂｌｅ  Ｓｗｉｔｃｈは最大で８つのスロットを有し、それぞれのスロットに衛星放送受信装置を接続できる。
【先行技術文献】
【特許文献】
【０００４】
【特許文献１】特表２００８−５１２０５６号公報
【発明の概要】
【発明が解決しようとする課題】
【０００５】
しかしながら、上記従来の衛星放送受信装置では、ＤｉＳＥｑＣ通信コマンドは単方向であるため、ＤｉＳＥｑＣ通信が成功したか確認できないという問題があった。
【０００６】
また、複数の衛星放送受信装置が同時にＤｉＳＥｑＣ通信コマンドを発行した時に、Ｕｎｉｃａｂｌｅ  Ｓｗｉｔｃｈ内でＤｉＳＥｑＣ通信コマンドの衝突が発生して通信内容が破棄され、所望のチャンネルが選局できないという問題もあった。
【０００７】
本発明は、上記従来の課題を解決するもので、ＤｉＳＥｑＣ通信における通信コマンドの衝突を回避することが可能な衛星放送受信装置及び衛星放送受信方法を提供することを目的とする。
【課題を解決するための手段】
【０００８】
本発明の請求項１にかかる衛星放送受信装置は、Ｕｎｉｃａｂｌｅ  Ｓｗｉｔｃｈと同軸ケーブルで接続され、ＤｉＳＥｑＣ通信コマンドを用いて放送信号を選局する衛星放送受信装置であって、Ｕｎｉｃａｂｌｅ  ＳｗｉｔｃｈへＤｉＳＥｑＣ通信コマンドを出力する制御部と、Ｕｎｉｃａｂｌｅ  Ｓｗｉｔｃｈから放送信号を受信する受信部と、受信された放送信号を復調してトランスポートストリームを出力する復調部と、制御部からのデコード指示に応じて、トランスポートストリームをデコードして映像音声信号を出力するデコード部と、を備え、制御部は、トランスポートストリームからトランスポートストリームＩＤを検出し、検出されたトランスポートストリームＩＤがＤｉＳＥｑＣ通信コマンドに含まれるトランスポートストリームＩＤと一致しない場合はＵｎｉｃａｂｌｅ  ＳｗｉｔｃｈへＤｉＳＥｑＣ通信コマンドを再度出力し、一致する場合はデコード部にデコード指示を行う、ことを特徴とする。
【０００９】
また、本発明の請求項２にかかる衛星放送受信装置は、本発明の請求項１にかかる衛星放送受信装置の構成において、制御部は、Ｕｎｉｃａｂｌｅ  Ｓｗｉｔｃｈの各スロットに対応した待ち時間情報を記憶し、待ち時間情報に応じて、ＤｉＳＥｑＣ通信コマンド出力後に、再度、ＤｉＳＥｑＣ通信コマンドを出力する、ことを特徴とする。
【００１０】
また、本発明の請求項３にかかる衛星放送受信方法は、Ｕｎｉｃａｂｌｅ  Ｓｗｉｔｃｈと同軸ケーブルで接続され、ＤｉＳＥｑＣ通信コマンドを用いて放送信号を選局する衛星放送受信装置における衛星放送受信方法であって、Ｕｎｉｃａｂｌｅ  ＳｗｉｔｃｈへＤｉＳＥｑＣ通信コマンドを出力するステップと、Ｕｎｉｃａｂｌｅ  Ｓｗｉｔｃｈから放送信号を受信するステップと、受信された放送信号を復調してトランスポートストリームを出力するステップと、出力されたトランスポートストリームからトランスポートストリームＩＤを検出し、検出されたトランスポートストリームＩＤがＤｉＳＥｑＣ通信コマンドに含まれるトランスポートストリームＩＤと一致するか否かを判断するステップと、一致しないと判断された場合、Ｕｎｉｃａｂｌｅ  ＳｗｉｔｃｈへＤｉＳＥｑＣ通信コマンドを再度出力するステップと、一致すると判断された場合に、トランスポートストリームをデコードして映像音声信号を出力するステップと、を有することを特徴とする。
【００１１】
また、本発明の請求項４にかかる衛星放送受信方法は、本発明の請求項３にかかる衛星放送受信方法の構成において、Ｕｎｉｃａｂｌｅ  Ｓｗｉｔｃｈの各スロットに対応した待ち時間情報を記憶し、待ち時間情報に応じて、ＤｉＳＥｑＣ通信コマンド出力後に、再度、ＤｉＳＥｑＣ通信コマンドを出力するステップと、を更に有することを特徴とする。
【発明の効果】
【００１２】
本発明によれば、ＤｉＳＥｑＣ通信時において受信したトランスポートストリームＩＤを確認することによって確実にＤｉＳＥｑＣ通信コマンドの衝突を防ぐことができる。
【００１３】
また、Ｕｎｉｃａｂｌｅ  Ｓｗｉｔｃｈのスロット別に固有の待ち時間を設けて、複数回ＤｉＳＥｑＣ通信コマンドを発行することによって、異なるスロットとのＤｉＳＥｑＣ通信コマンドの重複を避けることができ、短時間で衝突を避けることが可能となる。
【図面の簡単な説明】
【００１４】
【図１】本発明の実施の形態１にかかる衛星放送受信装置の構成を示すブロック図
【図２】本発明の実施の形態１における衛星放送受信処理を示すフローチャート
【図３】本発明の実施の形態２における衛星放送受信処理を示すフローチャート
【発明を実施するための形態】
【００１５】
以下本発明を実施するための形態について、図面を参照しながら説明する。
【００１６】
（実施の形態１）
図１は、本発明の実施の形態１にかかる衛星放送受信装置の構成を示すブロック図である。衛星放送受信装置１２０は、チューナー部（受信部）１２１と、復調部１２２と、制御部１２３と、デコード部１２４と、表示部１２５から構成されており、同軸ケーブルによってＵｎｉｃａｂｌｅ  Ｓｗｉｔｃｈ１１０と接続されている。ここで、衛星放送受信装置１３０は、衛星放送受信装置１２０と同構成であるとする。
【００１７】
Ｕｎｉｃａｂｌｅ  Ｓｗｉｔｃｈ１１０は、複数の衛星放送受信用アンテナ１００、１０１、１０２と同軸ケーブルを介して接続されており、衛星放送受信装置１２０の制御部１２３からの選局要求に応じて、複数の衛星放送受信用アンテナ１００、１０１、１０２で受信した放送信号の周波数を乗せかえる。また、Ｕｎｉｃａｂｌｅ  Ｓｗｉｔｃｈ１１０は８スロットを装備しており、最大８つの衛星放送受信用アンテナと衛星放送受信装置を接続できる。
【００１８】
チューナー部１２１は、Ｕｎｉｃａｂｌｅ  Ｓｗｉｔｃｈ１１０から入力された放送信号を受信して復調部１２２へ出力する。復調部１２２は、入力された放送信号を復調してトランスポートストリームをデコード部１２４へ出力する。デコード部１２４は、制御部１２３からの指示に応じて、入力されたトランスポートストリームをデコードし、デコードの結果得られた映像信号を表示部１２５に出力するとともに、デコードの結果得られた音声信号を音声出力部（図示せず）に出力する。
【００１９】
制御部１２３は、Ｕｎｉｃａｂｌｅ  Ｓｗｉｔｃｈ１１０に対して、ＤｉＳＥｑＣ通信コマンドを用いた選局要求を行う。そして、デコード部１２４に入力されたトランスポートストリームからトランスポートストリームＩＤを検出して、選局要求で指定したトランスポートストリームＩＤと比較し、一致した場合は、デコード部１２４にトランスポートストリームのデコード指示を行う。一致しない場合は、再度、Ｕｎｉｃａｂｌｅ  Ｓｗｉｔｃｈ１１０に対してＤｉＳＥｑＣ通信コマンドを用いた選局要求を行う。
【００２０】
ここで、図２のフローチャートを用いて、本実施の形態にかかる衛星放送受信処理を説明する。制御部１２３は、ユーザからの選局要求に基づいて、Ｕｎｉｃａｂｌｅ  Ｓｗｉｔｃｈ１１０に対してＤｉＳＥｑＣ通信コマンド（選局コマンド）を発行する（ステップＳ２１０）。チューナー部１２１は、Ｕｎｉｃａｂｌｅ  Ｓｗｉｔｃｈ１１０から同軸ケーブルを介して放送信号を受信し、復調部１２２は受信した放送信号を復調してトランスポートストリームを出力する（ステップＳ２１１）。ここで、制御部１２３は、トランスポートストリームからトランスポートＩＤを検出し、ステップＳ２１０で発行した選局コマンドで指定したトランスポートストリームＩＤと一致するかどうかを比較する（ステップＳ２１２）。一致すると判断した場合は（ステップＳ２１２で「ＹＥＳ」）、デコード部１２４に対してトランスポートストリームのデコードを指示し（ステップＳ２１３）、デコードされた映像信号やデコードされた音声信号を表示部１２５や音声出力部（図示せず）に出力させる（ステップＳ２１４）。
【００２１】
一方、一致しないと判断した場合は（ステップＳ２１２で「ＮＯ」）、制御部１２３は再度、選局コマンドをＵｎｉｃａｂｌｅ  Ｓｗｉｔｃｈ１１０に対して発行する。
【００２２】
（実施の形態２）
図３は、本発明の実施の形態２にかかる衛星放送受信処理を示すフローチャートである。ここで、図２と同符号を付したものは同処理を行うため説明を省略する。また、本実施の形態における衛星放送受信装置は本発明の実施の形態１における衛星放送受信装置の構成と同構成であるため説明を省略する。
【００２３】
制御部１２３は、選局コマンド発行後において、衛星放送受信装置１２０が接続されているＵｎｉｃａｂｌｅ  Ｓｗｉｔｃｈ１１０のスロットに応じて、算出式に基づいた待ち処理を実行する（ステップＳ３１０）。具体的には、スロット毎に、（Ｓｎ×１５０ ＋ １０）ｍｓｅｃ経過後に、再度、選局コマンドを発行する（ステップＳ３１１）。ここで、Ｓｎは０から７のスロット番号とする。前記算出式（待ち時間情報）は、制御部１２３に予め記憶しておく。
【００２４】
本実施の形態によれば、トランスポートストリームＩＤの検出を待たずに選局コマンドを発行でき、短時間でかつ確実に選局コマンドの衝突を避けることが可能となる。
【産業上の利用可能性】
【００２５】
本発明によれば、複数の衛星放送受信装置からの選局コマンドの衝突を回避することが可能になるので、Ｕｎｉｃａｂｌｅ  Ｓｗｉｔｃｈを使用する全てのＡＶ機器において有用である。
【符号の説明】
【００２６】
１００、１０１、１０２    衛星放送受信用アンテナ
１１０    Ｕｎｉｃａｂｌｅ  Ｓｗｉｔｃｈ
１２０、１３０    衛星放送受信装置
１２１    チューナー部
１２２    復調部
１２３    制御部
１２４    デコード部
１２５    表示部
【図１】
2011239311.tif 000003
【図２】
2011239311.tif 000004
【図３】
2011239311.tif 000005